(57)【要約】【課題】  皺を発生することなく、良好な適合状態に患部に装着することができ、医療施術現場での使い勝手の良いスプリント製品を提供する。【解決手段】  硬化剤を含浸した支持体を内包する長尺帯状のスプリント密封包装体を、所定の長さ毎に折り返した蛇腹状折畳み状態で取出容器内に収容する。併せて、補助的に使用する長尺帯状の付帯クッション材を上記同様の折畳み状態で取出容器に上下配置関係のもとに同梱する。そして、該取出容器に設けた取出口から、上記両材料を引き出して所要長さでカットして使用する。【選択図】    図１
2006204480.tif 000002
【特許請求の範囲】
【請求項１】
伸縮性を有する長尺帯状のスプリント本体をその全長に亘ってスリーブ状の気密性包材で密封包被してなる長尺帯状のスプリント密封包装体と、
該スプリント密封包装体とは別体で、スプリント装着時に前記スプリント本体の一面に重ねて装着使用される伸縮性かつ長尺帯状の付帯クッション体と、
前記スプリント密封包装体及び付帯クッション体を同梱する取出容器と、
スプリント密封包装体を所要長さに切断して使用したのちの残りのスプリント密封包装体の気密性包材の開口端縁を再封止する再封止具とを備え、
前記スプリント密封包装体及び付帯クッション体は、いずれも取出容器の奥行き長さに対応する長さで蛇腹状ないしつづら折り状に折畳まれた状態で、前記取出容器内に上下の配置関係のもとに収容されると共に、
前記取出容器は、少なくともその１つの側面に、前記スプリット密封包装体及び付帯クッション体を、個別または同時に引き出し可能とする少なくとも１つ以上の取出し口を有するものとなされていることを特徴とする骨折部位等固定用スプリント製品。
【請求項２】
スプリント本体は、伸縮性かつ通気性を有する繊維布帛による支持体と、これに含浸された硬化剤と、前記支持体より幅広で、該支持体の全体を包み込んだ伸縮性を有する偏平筒状のクッション性保護被覆体とよりなる請求項１に記載の骨折部位等固定用スプリント製品。
【請求項３】
前記支持体は、厚手の１枚の平板状メリヤス編地からなる請求項２に記載の骨折部位等固定用スプリント製品。
【請求項４】
前記支持体が、ウエールをスプリント本体の長さ方向に配したリブ編組織の高伸縮性編地である請求項２または３に記載の骨折部位等固定用スプリント製品。
【請求項５】
前記保護被覆体は、前記支持体より幅広の上下２枚の平板状布帛からなり、これら２枚の平板状布帛の幅方向中央部に前記支持体を挟み込んで両側縁を長さ方向の全長に亘って接合されることにより、扁平筒状に形成されている請求項２〜４のいずれか１項に記載の骨折部位等固定用スプリント製品。
【請求項６】
前記保護被覆体は、少なくとも外面に起毛層を有する伸縮性フリース地からなる請求項２〜５のいずれか１項に記載の骨折部位等固定用スプリント製品。
【請求項７】
前記付帯クッション体は、少なくとも一面に起毛層を有する伸縮性フリース地からなる請求項２〜６のいずれか１項に記載の骨折部位等固定用スプリント製品。
【請求項８】
前記硬化剤は、水硬性合成樹脂からなる請求項２〜７のいずれか１項に記載の骨折部位等固定用スプリント製品。
【請求項９】
取出容器は、スプリント密封包装体及び付帯クッション体の配置に対応して、それらを個別に引出し可能とする２個の取出口を、一側壁の上部と下部に有するものである請求項１〜８のいずれか１項に記載の骨折部位等固定用スプリント製品。    
【発明の詳細な説明】
【技術分野】
【０００１】
本発明は、身体の骨折部位その他損傷部位の治療に際し、当該部位に当てがって装着し、当該部位を固定するために使用されるスプリント（Ｓｐｌｉｎｔ：副木、当て木、添え木とも称される）製品、とくに長さ方向に所要長さに切断することにより、可変長さで使用可能としたフリーカットタイプの長尺型スプリント製品に関する。
【背景技術】
【０００２】
古来伝統的な焼石膏を硬化剤として使用したスプリントに対し、近時、取扱いの簡易性、軽量性、硬化時間の短縮による施術の容易性、装着硬化後の耐水安定性、強度等の種々の利点から、水硬化型の合成樹脂、即ち、水分の存在下で反応硬化する性質をもったウレタン系等の合成樹脂硬化剤を用いたスプリントが主流を占め、一般に多く実用に供されている（特許文献１、２参照）。
【０００３】
これらのスプリント製品は、伸縮性かつ通気性を有する厚手のメッシュ地等の繊維布帛を支持体として、これに硬化剤を含浸せしめ、かつその少なくとも片面にクッション材を重ね合わせて密封包装したものであり、常態保管中は柔軟性を維持する一方、使用時には、水中に浸漬するなどして水分を付与することにより、身体の所定部位に当てがった状態で硬化を進行せしめ、スプリント機能を実現するようになされたものである。
【０００４】
この種のスプリント製品には、予め所定長さに製作され個包装されたプリカット型のものも存在するが、骨折部位やその状況に応じて、必要な可変長さのスプリントが得られるように、予め長尺物として製作され、これを所要の長さに切断して使用する、いわゆるフリーカット型のものも多く実用に供されている（特許文献２）。
【０００５】
この長尺フリーカット型のスプリント製品は、特許文献２に示されるように、硬化剤を含浸した帯状の伸縮性支持体と、これを包み込んだクッション性布帛による保護被覆体とからなるスプリント本体を、一般にアルミパック等と呼ばれる積層型の気密性包材で密封包装したものである。そして、従来では、この長尺の密封包装体を一端から捲回してロール状のものとし、これを取出容器となる梱包用箱体内に収めて市場供給されている。そして使用者は、上記取出容器の一側壁下部に設けられた取出し口から、上記ロール状のスプリント密封包装体を外周側の一端から引き出し、所要長さにカットして使用する一方、残りのスプリント密封包装体は、上記カットした端部において密封包材を別途用意された再封止具を用いて再密封することにより、スプリント本体の大気との接触による感応硬化を防止するものとして、再保管可能なものとしている。
【特許文献１】特開２００３−３０５０７０号公報
【特許文献２】特公昭８−２４６９６号公報
【発明の開示】
【発明が解決しようとする課題】
【０００６】
ところが、特許文献２に示されるような従来のロール型のスプリント製品においては、更に解決すべき次のような問題点を有するものであった。
【０００７】
第１に、ロール状に巻かれた長尺のスプリント密封包装体は、巻きの中心部になるに従って巻き径が小さいものとなることに起因して、真空包装用の気密性包材に幅方向の深くてかつ多くの不規則な皺を発生する。ここに、気密性包材は、内部にアルミ層を有してやや剛性の高いものであることも相俟って、これに生じる皺はその内部に収納されているスプリント本体にも影響を与え、硬化剤を含浸した支持体に強い巻ぐせと共に皺寄りを生じさせる。このような強い巻ぐせや皺は、施術時にスプリント本体を患部に良好な適合状態に装着する作業を困難にする。のみならず、皺寄り状態を残して装着硬化されると、フィット感の悪いスプリントが構成され、治療効果にも悪影響を与える。加えて、施術時にできた皺は、硬化スプリントに部分的な強度上の弱点部分を生じさせ、時として皺部分でスプリントが割れてしまう危険性を内包する。スプリントの断裂は、患部への悪影響のほか、二次的には、断裂面による人体への損傷を招く可能性すら生じさせる。
【０００８】
第２に、ロール状に捲回されたスプリントの密封包装体は、これを取出容器である四角い箱に収納した状態において、当該箱内の上下の四隅部分に大きなデットスペースを生じさせる。つまり、取出容器の内容積を効率よく利用できない。このため、長尺のスプリント包装体を収納した取出容器が大型化する傾向があり、逆に限られた大きさの取出容器内に収納できるスプリント包装体に長さの制約を受け、十分に長さの長いスプリント包装体を収納した製品を提供し難い。
【０００９】
更に第３に、従来のスプリント製品は、取出容器内に、スプリントの密封包装体を収納したものであるが、実際の施術に際しては、人体の患部とスプリント本体との間に更に別途クッション材を介在させて施術し、フィット感の向上、湿り気感の低減、皮膚擦過傷の防止等をはかることが求められることも多い。このような場合、従来品ではクッション材を別に準備して施術しなければならない。このため、部材管理が厄介であると共に、良好なクッション材の施術現場での入手に困難を来たすこともあり、施術に余計な手間と時間がかかる難点もあった。
【課題を解決するための手段】
【００１０】
本発明は、上述したような従来品の技術的問題点に鑑み、これらの問題点を一挙解決しうる長尺スプリント製品を提供することを目的とする。
【００１１】
上記の目的において、本発明は下記［１］〜［９］に記載のような構成を有する骨折部位等固定用スプリントを提供するものである。
［１］伸縮性を有する長尺帯状のスプリント本体をその全長に亘ってスリーブ状の気密性包材で密封包被してなる長尺帯状のスプリント密封包装体と、
該スプリント密封包装体とは別体で、スプリント装着時に前記スプリント本体の一面に重ねて装着使用される伸縮性かつ長尺帯状の付帯クッション体と、
前記スプリント密封包装体及び付帯クッション体を同梱する取出容器と、
スプリント密封包装体を所要長さに切断して使用したのちの残りのスプリント密封包装体の気密性包材の開口端縁を再封止する再封止具とを備え、
前記スプリント密封包装体及び付帯クッション体は、いずれも取出容器の奥行き長さに対応する長さで蛇腹状ないしつづら折り状に折畳まれた状態で、前記取出容器内に上下の配置関係のもとに収容されると共に、
前記取出容器は、少なくともその１つの側面に、前記スプリット密封包装体及び付帯クッション体を、個別または同時に引き出し可能とする少なくとも１つ以上の取出し口を有するものとなされていることを特徴とする骨折部位等固定用スプリント製品。
【００１２】
［２］スプリント本体は、伸縮性かつ通気性を有する繊維布帛による支持体と、これに含浸された硬化剤と、前記支持体より幅広で、該支持体の全体を包み込んだ伸縮性を有する偏平筒状のクッション性保護被覆体とよりなる請求項１に記載の骨折部位等固定用スプリント製品。
【００１３】
［３］前記支持体は、厚手の１枚の平板状メリヤス編地からなる請求項２に記載の骨折部位等固定用スプリント製品。
【００１４】
［４］前記支持体が、ウエールをスプリント本体の長さ方向に配したリブ編組織の高伸縮性編地である請求項２または３に記載の骨折部位等固定用スプリント製品。
【００１５】
［５］前記保護被覆体は、前記支持体より幅広の上下２枚の平板状布帛からなり、これら２枚の平板状布帛の幅方向中央部に前記支持体を挟み込んで両側縁を長さ方向の全長に亘って接合されることにより、扁平筒状に形成されている請求項２〜４のいずれか１項に記載の骨折部位等固定用スプリント製品。
【００１６】
［６］前記保護被覆体は、少なくとも外面に起毛層を有する伸縮性フリース地からなる請求項２〜５のいずれか１項に記載の骨折部位等固定用スプリント製品。
【００１７】
［７］前記付帯クッション体は、少なくとも一面に起毛層を有する伸縮性フリース地からなる請求項２〜６のいずれか１項に記載の骨折部位等固定用スプリント製品。
【００１８】
［８］前記硬化剤は、水硬性合成樹脂からなる請求項２〜７のいずれか１項に記載の骨折部位等固定用スプリント製品。
【００１９】
［９］取出容器は、スプリント密封包装体及び付帯クッション体の配置に対応して、それらを個別に引出し可能とする２個の取出口を、一側壁の上部と下部に有するものである請求項１〜８のいずれか１項に記載の骨折部位等固定用スプリント製品。
【発明の効果】
【００２０】
この発明による前記［１］に記載の構成に係るスプリント製品は、スプリントの密封包装体を取出容器から引き出して切断することにより、任意に可変長さのスプリント本体を得て施術使用することができる一方、残りのスプリント密封包装体は、再封止具で密封包材の開口端を再封止することにより、未硬化の安定状態を保ったまま保管して次回の使用に備えることができ、長尺のスプリント本体を無駄なく使用することができるという、本来の長尺フリーカット型スプリント製品の利点をそのまま保有するものであることはもとより、特に次のような特有の効果をも奏する。
【００２１】
即ち、スプリント密封包装体は、これが取出容器内にその奥行相当の長さで蛇腹状ないしつづら折り状に折畳まれた状態で収容されている。従って、上記密封包装体に生じる皺の発生部位は、定尺毎の折返し部位のみに局限される。このことは、スプリントの使用に際し上記折返し部位の近接位置でスプリント密封包装体を切断することで、曲りぐせとか皺寄りのない平坦状でかつ長さ方向に均質な所定長さのスプリント本体を得ることを可能にする。一般に、施術に使用されるスプリントの所要長さは、３０〜５０ｃｍ、とくに３５〜４５ｃｍの範囲であることが多い。従って、この長さに対応して、上記スプリント密封包装体の折返し部位を設定して取出容器に収容しておくものとすることにより、上記のような平坦状でかつ長さ方向に均質なスプリント本体を繰返し容易に得ることができる。また、より長さの長いスプリント本体を必要とする場合等において、切断したスプリント密封包装体の長さ領域内に上記折返し部が存在することになるような場合にあっても、折返しによって皺寄りを発生している部分が局限されており、しかも横断方向に略一直線上の皺を有するものであることにより、切断後において当該皺寄り部分を手で補整し、かつ硬化剤の含浸状態を均質化せしめる作業を容易に行うことができる。即ち、長さ方向に皺寄り部分のない、全長に亘って均質な所定長さのスプリント本体に容易に補整することができる。従って、このように皺のない均質な状態で、これを施術に使用することができることにより、施術作業を的確に行なうことができ、硬化後においても皺のない硬化スプリントを構成することが可能となり、前述したような従来のロール型長尺スプリント製品の場合に派生する問題点を悉く解消することができる。
【００２２】
また、ロール型スプリント製品の場合に較べ、長尺のスプリント密封包装体を取出容器内に効率良く収容することができる。即ち、大きなデッドスペース（空きスペース）を生じさせることなく、取出容器内のスペースを効率的に有効利用することができる。このため、例えばロール型スプリント製品の場合と同じ長さのスプリント密封包装体を、同じ内容積の取出容器内に収納した場合には、上記デッドスペースに相当する体積分を収納のための有効スペースとして確保することができ、この有効スペースを利用して付帯クッション材をこれもまた折畳み状態で当該スペースを効率的に活用しつつ同梱状態に収容することができる。このことにより、本発明においては、取出容器の大型化を招くことなく、スプリント密封包装体と付帯クッション材とを同梱した利便性の高いスプリント製品を提供することが可能となる。
【００２３】
そしてまた、このようにスプリント密封包装体と付帯クッション材とが同梱されており、それらを個別に、あるいは同時に一端から引き出し可能なものとなされていることにより、施術に際し、水分を付与して濡れた状態で人体に適用されるスプリント本体と患部との間に、上記クッション体をこれもまた所要長さに切断して介在装着する作業を簡便に行うことができる。そしてまた、このようなクッション材の使用により、スプリントの患部へのフィット感の向上、スプリントの装着中のソフトな肌当りによる装着感の向上、スプリントの長期装着による皮膚擦過傷の未然防止、施術装着時における湿り気感の低減、クッション材の隋時交換による衛生面の向上等の多くの利点を享受しうる。このようにクッション材の使用によるスプリントの装着に、高い利便性を与える。
【００２４】
また、前記［２］に記載の構成においては、上記効果に加え、スプリント本体が硬化剤を含浸した伸縮性支持体の全体をクッション性の偏平筒状保護被覆体で包被されたものとなされているので、当該スプリント本体をそのまま、水中に浸漬するなどして水分を付与したのち、長さ方向および／または幅方向に若干引き伸ばすようにしながら患部に当てがって包帯等で巻いて装着することにより、皺寄りのない状態で患部表面に良好な沿接適合状態に装着することができる。従って施術を能率良く簡易に、しかも好適状態に行うことができる。かつ施術後の硬化されたスプリントに、所要の通気性を確保することができるので、蒸れのない装着感の良好なものとなすことができる。
【００２５】
前記［３］に記載の構成によれば、支持体が、厚手の１枚の平板状メリヤス編地で構成されていることにより、複数枚の布帛を重ね合わせて支持体を構成したようなものに較べ、構成の簡素化をはかり得て製造上有利であると共に、長さ方向及び幅方向のいずれにも良好な伸縮性を有して、施術を更に一層行い易いものとなしうる。
【００２６】
前記［４］に記載の構成においては、支持体がウエールを長さ方向に配したリブ編組織による編地で構成されていることにより、更に一層伸縮性に優れ、皺のない状態でのスプリントの施術装着を容易にする。
【００２７】
前記［５］に記載の構成においては、保護被覆体が２枚の平板状布帛の両側縁部を互いに接合することによって扁平筒状に形成されたものとなされているから、予め筒状に編織された被覆体内にスプリント本体を挿通して組合わせるような場合に較べ、スプリント本体の製作を簡易に行いうると共に、保護被覆体の幅方向中央部に支持体を正しい位置設定状態に安定的に保持したものとなしうる。
【００２８】
前記［６］［７］に記載の構成によれば、保護被覆体及びクッション体が外面ないし少なくとも一面に起毛層を有する伸縮性フリース地で構成されているので、比較的安価な素材を用いながら、スプリントの装着時の肌当りがソフトで装着感に優れたものとなしうる。
【００２９】
前記［８］に記載の構成によれば、硬化剤が水硬性合成樹脂からなるものとされていることにより、前述したように軽量で取扱い易く、硬化時間の短い、しかも耐水性にも優れたスプリントを提供しうる。
【００３０】
更に前記［９］に記載のスプリント製品は、取出容器にスプリント密封包装体の引き出し用の取出口と、付帯クッション材の引き出し用取出口との２個の取出口が設けられていることにより、施術時の上記スプリント密封包装体及び付帯クッション体の所要長の取り出しに便利である。
【発明を実施するための最良の形態】
【００３１】
次に、本発明の好ましい実施形態を添付図面に基いて説明する。
【００３２】
本発明に係るスプリント製品（１）は、図１及び図２の参照によって明らかなように、長尺帯状のスプリント密封包装体（２）と、これとは別体の付帯クッション体（３）と、これらを収容した取出容器（４）と、スプリント密封包装体（２）を切断後に再封止するときに使用される再封止具（５）とを備える。
【００３３】
スプリント密封包装体（２）は、幅１５〜２０ｃｍ、長さ４００〜５００ｃｍ程度の長尺帯状のものであり、図３及び図４に示されるように、スプリント本体（６）と、該スプリント本体（６）の全体を密封包被したスリーブ状の気密性包材（７）とよりなる。
【００３４】
スプリント本体（６）は、内部に１枚の平板状メリヤス編地からなる厚手の伸縮性繊維布帛である支持体（８）を有し、この支持体（８）に例えばポリウレタン系の水硬化性樹脂からなる硬化剤が含浸されている。そして、この支持体（８）の全体が、該支持体（８）より広幅で、かつ伸縮性を有するクッション性の繊維布帛である扁平筒状の保護被覆体（９）で包み込み状態に包被されている。
【００３５】
上記支持体（８）は、見掛け厚さ５〜８ｍｍ、幅７．０〜１５．０ｍｍ程度の厚手のメリヤス編地、特に、ウエール（６ａ）を長さ方向に配したリブ編組織による平板状のメリヤス編地で構成されたものであり、長さ方向のみならず幅方向にも高い伸縮性を有する。また太さの太いポリエステル糸、綿糸等からなる編糸をもって粗い組織に編成されている結果、編目間に多数の空隙部を有し、硬化剤を含浸した状態においてもなお良好な通気性を有するものとなされている。
【００３６】
保護被覆体（９）は、少なくとも外面に起毛層を有するフリース地、即ち柔らかい起毛仕上げの織物からなるものであって、長さ方向及び幅方向のいずれに対しても良好な伸縮性を有する。この伸縮性は、繊維素材に伸縮性のものを用いることで付与しても良いし、地組織中にゴム糸等を織り込むことによって付与するものとしても良い。
【００３７】
この保護被覆体（９）は、支持体（８）より幅広の上下２枚の平板状のフリース地を、それらの間に硬化剤を含浸した支持体（８）を挟み込んで重ね合わせ、該支持体（８）からはみ出した両側縁部を任意の接結手段で接合することにより、扁平筒状のスリーブ形態に構成されたものである。上記の接結手段は接着、溶着、縫着等の任意の手段を採用しうるが、保護被覆体（９）の長さ方向の自由な伸縮性を阻害しない態様で接合すべきであり、細い線状に熱融着接合するのが好適である。尚、この保護被覆体（９）は、支持体（８）の幅より３０〜５０ｍｍ、好ましくは３５〜４５ｍｍ程度幅広なものが用いられる。
【００３８】
密封包材（７）は、水分を通さない高気密性の３層積層シートからなる。即ち、中間にアルミニウム箔を配置して、その両面に合成樹脂フィルムを積層一体化した積層シートからなるものである。中間のアルミニウム箔によって、高度の水分非透過性を確保しつつ、外面側の合成樹脂フィルムで主として強度を確保し、内面側の熱可塑性合成樹脂フィルムによって、熱溶接合性を確保したものである。而して、該密封包材（７）は、広幅帯状の２枚の上記シート間にスプリント本体（６）を配置した状態で、両側縁部を線状に熱触着し、シール接合することにより、扁平筒状のスリーブ状のものとなされ、かつ長さ方向の両端も同様にシール接合することにより、スプリント本体（６）の全体をその全長に亘って外気遮断状態に密封包装したものである。この包装は、好ましくは内部の空気を抜いて、真空包装とするのが良い。
【００３９】
付帯クッション体（３）は、スプリントの装着に際して、必要に応じて補助的に使用されるものである。該付帯クッション体（３）は、少なくとも片面、好ましくは両面に密な起毛層を形成したフリース地からなり、長さ方向及び幅方向に前述の保護被覆体（９）よりもやや厚手でかつ一層大きな伸縮性を有するものとなされている。
【００４０】
この付帯クッション体（３）は、スプリント本体（６）よりやや広幅なものであるが、長さは任意であり、一般的にはスプリント本体（６）と同等程度の長さに設定される。
【００４１】
取出容器（４）は、厚手の紙箱、紙製段ボール箱、プラスチックシート製の箱等の四角い箱からなるものである。図１に示すように、幅（Ｗ）はスプリント密封包装体（２）の幅に対応し、高さ（Ｈ）は、スプリント密封包装体（２）及び付帯クッション材（３）の収容量に対応するが、奥行き方向の長さ（Ｄ）の設定は本発明の好適な実施において重要な要素となる。即ち、取出容器（４）内には、後述するようにスプリント密封包装体（２）が、所定長さ毎に折返した蛇腹状ないしつづら折り状の折畳み状態にして収容される。そして、その折目部分には、折返しの皺が生じるが、隣接する２つの折目の間の領域では、スプリント密封包装体（２）が平坦状に保たれる。この平坦状の部分を最も普通に使用されることの多い施術用のスプリントの１つの単位としての所要長のものとして得るためには、折返し部間の距離ないし長さを３０〜５０ｃｍ、好ましくは３５〜４５ｃｍ程度に設定するのが有利である。このこととの関係において、取出容器（４）の奥行き方向の長さ（Ｄ）は、上記の一般的なスプリント単位の長さに対応して、３０〜５０ｃｍ、好ましくは３５〜４５ｃｍの範囲内に設定される。図示の好適な実施例においては、奥行方向長さ（Ｄ）は４０ｃｍに設定されているものである。また幅（Ｗ）は２２ｃｍ、高さ３５ｃｍに設定されている。
【００４２】
取出容器（４）の前面側の１つの側壁には、図１に示すようにその上下両端部近傍位置に、横長スリット状の２つの取出口（１０）（１１）が設けられている。これらの取出口（１０）（１１）は、図２に示すようにスプリント製品（１）の輸送、保管の過程では容器材料と連続して閉鎖されているものであり、スプリントの使用に際し、ミシン目等の切断線（１０ａ）（１１ａ）に沿って該切断部領域内の部分を破断除去することにより、開口されるものである。また、取出容器（４）は、その上面のフラップ（４ａ）（図１参照）が開閉可能なものとなされており、上部に収容された付属品、例えば施術用手袋、使用説明書、再封止具、切断用鋏等を上記上面フラップ（４ａ）を開くことによって出し入れ可能なものとなされている。
【００４３】
ところで、スプリント密封包装体（２）と、付帯クッション体（３）とは、いずれも前述のように例えば４５０ｃｍの長さを有する長尺のものであるが、これらは、図２に示すようにいずれも取出容器（４）の奥行方向の長さ（Ｄ）に対応する長さ（Ｌ）で順次反対向きに折返され、蛇腹状ないしつづら折り状に折畳まれた状態で、取出容器（４）内に同梱状態に収容されている。図示実施態様においては、スプリント密封包装体（２）を下側に、付帯クッション体（３）を上側にして収容されているが、これらの上下配置関係は逆にしても良い。しかし左右方向の配置関係で収容するときは、スプリント密封包装体（２）の側縁部に重量による押し潰しに起因する皺を発生するおそれがあるため、好ましくない。
【００４４】
再封止具（５）は、スプリント密封包装体（２）を所要長さに切断して使用したのち、残りのスプリント密封包装体（２）を再使用に備えて密封するために用いる必須の付属器具である。従って、この再封止具（５）は気密性包材（７）の切断による開口端部を再封止しうるものであれば良く、その構造、形式等は限定されるものではない。図示実施態様においては図１に示すように合成樹脂製の１対の挟着片（５ａ）（５ｂ）を有し、これらが枢軸（５ｃ）部分で開閉可能に枢着されたクランプタイプの再封止具が示されている。この再封止具（５）は、一方の挟特片（５ａ）の立上り板部に他方の挟特片（５ｂ）の対応凹溝部をはめ合わせ得るようになっており、それらの間に密封包材（７）の端縁部を挟み込むことで、該包材（７）に断面Ｕ字状の屈曲を生じさせて完全密封状態に封止しうるものとなされている。
【００４５】
上記のスプリント製品の使用方法は次のとおりである。
【００４６】
先ず、スプリント密封包装体（２）を図１に示すように取出容器（４）の下部の取出口（１１）から所要長さ引き出し、該密封包装体（２）を気密性包材（７）ごと鋏等でカットする。カットした残りの密封包装体（２）は、そのスプリント本体（６）の端部を密封包材（７）の中に数センチ折返して収納するようにしたのち、突出する密封包材（７）の開口端部を再封止具（５）で再密封し、次回の使用に備えるものとする。上記スプリント密封包装体（２）のカット位置は、施術に必要とするスプリントの長さに対応するものであり、必ずしもその位置が特定されるものではないが、なるべく、蛇腹状に折畳まれたスプリント密封包装体（２）の折目の部分ないしその近傍位置に設定するものとすることが望ましい。これにより、カットした所定長のスプリント本体（６）の単位物は、その全長に亘って折目による皺のないものを得ることができる。また、取出容器（４）の上部の取出口（１０）から、付帯クッション材（３）を引き出し、これを前記スプリント密封包装体（２）のカット長さよりやや長い目にカットする。
【００４７】
そこで、スプリント本体（６）を気密性包材（７）から抜き出し、長さ方向に両手で引張って軽く引き伸ばしたのち、要すれば適当な長さで１ないし複数回折畳み、１８〜２３℃程度の常温水中に浸漬して５〜１２秒間程度軽く揉むようにしながら全体に水を良く滲み込ませる。
【００４８】
次いで、水から取出し両手でやわらかく押さえて軽く水を切り、さらに乾いた布で挟んで表面に付着している水分を取り除いたのち、付帯クッション材（３）をスプリント本体（６）の一面に重ね、患部（Ａ）に全体をやや引き伸ばすようにしながら当てて該患部外面に沿わせ、皺が生じていないことを確認しながら、外側から図５の（ロ）に示すように素速く包帯（１２）を巻いて装着を完了する。
【００４９】
装着後、スプリント本体（６）は、支持体（８）に含浸した硬化剤が、水と反応して数分で硬化することにより、図５（イ）に示すような患部（Ａ）の外形に沿った成形スプリントが構成され、患部を固定する。
【００５０】
上記の図示実施態様は、この発明の範囲を画定するものではない。前記［１］〜［９］に記載の事項を充足する範囲内で、種々の変形態様による実施が可能である。
【００５１】
例えば、支持体（８）は、従来品において使用されているような筒状に編成されたメッシュ編地を扁平状にして使用するものであってもよい。また、保護被覆体（９）及び付帯クッション材（３）は、フリース地に限定されるものではなく、伸縮性とクッション性を有し、肌当り感が良く、通気性を保有するものであれば、他の編織地や不織布等を用いることも許容される。
【００５２】
また、取出容器（４）の取出口（１０）（１１）は、図示実施態様のように上下に２個設けて、各取出口からスプリント密封包装体（２）及び付帯クッション体（３）を個別に引き出し可能なものとすることが好ましいが、側壁の高さの中間部領域に１個だけの取出口を設け、あるいはまた上面フラップの存する上面壁に1個または２個の取出口を設けて、これらの取出口からスプリント密封包装体（２）及び付帯クッション材（３）を同時に引き出し可能なものとしても良い。
【産業上の利用可能性】
【００５３】
本発明は、外科医療の分野において、骨折部位の治療用のほか、身体負傷部位の治療目的で当該部位を外側から固定するのに利用されるものである。
【図面の簡単な説明】
【００５４】
【図１】本発明の好適な１つの実施態様を示す斜視図である。
【図２】取出容器内のスプリント密封包装体及び付帯クッション材の収納状態を示す斜視図である。
【図３】スプリント密封包装体と付帯クッション材とを、一部を切欠いて示した斜視図である。
【図４】スプリント密封包装体の横断面図である。
【図５】スプリント製品の装着状態を示すものであって、図５（イ）は硬化したスプリント本体と付帯クッション材とを患部から分離して示した斜視図、図５（ロ）は装着施術時の状態を示す斜視図である。
【符号の説明】
【００５５】
１・・・スプリント製品
２・・・スプリント密封包装体
３・・・付帯クッション材
４・・・取出容器
５・・・再封止具
６・・・スプリント本体
７・・・気密包材
８・・・支持体
９・・・保護被覆体
１０、１１・・・取出口
Ａ・・・患部                                  
【図１】
2006204480.tif 000003
【図２】
2006204480.tif 000004
【図３】
2006204480.tif 000005
【図４】
2006204480.tif 000006
【図５】
2006204480.tif 000007